(57)【要約】【課題】撮影された写真に写る被写体に応じた処理を、当該被写体が所定の条件に適合している場合にのみ処理を行う情報処理端末を提供することができる。【解決手段】被写体の写真を撮像する撮像部と、写真に対して行う指定処理の内容を示す指定処理情報と、被写体のうちから特定するべき対象被写体を写真の画像データにおいて特定するための被写体認識情報と、対象被写体の写真における状態に関する条件である条件情報と、をそれぞれ対応させて記憶する記憶部と、写真を撮像したときに、当該写真に対象被写体が写っているか否かを被写体識別情報に基づいて判定して、対象被写体が当該写真に写っている場合に、当該写真における当該対象被写体が当該被写体に対応する条件情報に適合しているか否かを判定して、当該対象被写体が条件情報に適合する場合に、指定処理を実行する制御部とを備える。【選択図】図１
2010147716.tif 000002
【特許請求の範囲】
【請求項１】
被写体の写真を撮像する撮像部と、
前記写真に対して行う指定処理の内容を示す指定処理情報と、前記被写体のうちから特定するべき対象被写体を前記写真の画像データにおいて特定するための被写体認識情報と、前記対象被写体の前記写真における状態に関する条件である条件情報と、をそれぞれ対応させて記憶する記憶部と、
前記写真を撮像したときに、当該写真に前記対象被写体が写っているか否かを前記被写体識別情報に基づいて判定して、前記対象被写体が当該写真に写っている場合に、当該写真における当該対象被写体が当該被写体に対応する前記条件情報に適合しているか否かを判定して、当該対象被写体が前記条件情報に適合する場合に、前記指定処理を実行する制御部と
を備える情報処理端末。
【請求項２】
請求項１に記載の情報処理端末であって、
前記制御部は、前記写真を撮影したときに、当該写真に前記対象被写体が写っているか否かを前記被写体認識情報に基づいて判定する被写体認識部と、前記対象被写体が当該写真に写っていると判定された場合に、当該写真における当該対象被写体が、当該対象被写体に対応する前記条件情報に適合しているか否かを判定する被写体条件判定部と、当該対象被写体が前記条件情報に適合していると判定された場合に、前記指定処理を実行する指定処理実行部と
を具備する情報処理端末。
【請求項３】
請求項２に記載の情報処理端末であって、
前記記憶部は、前記写真に対して行う画像処理の内容を示す加工情報をさらに記憶し、
前記制御部は、前記対象被写体が当該写真に写っていると判定された場合で、かつ、当該対象被写体が前記条件情報に適合していると判定された場合に、前記加工情報に基づいて当該写真の画像処理を行う加工処理部
をさらに具備し、
前記指定処理実行部は、前記加工処理部による画像処理後の写真を用いて、前記指定処理を行う
情報処理端末。
【請求項４】
請求項１から請求項３までのいずれかに記載の情報処理端末であって、
アンテナを備えて無線通信を行う無線通信部をさらに備え、
前記指定処理情報は、電子メールの送信先のメールアドレスを含み、
前記指定処理は、当該写真を前記電子メールに添付して前記メールアドレスへ送信することである
情報処理端末。
【請求項５】
請求項１から請求項４までのいずれかに記載の情報処理端末であって、
前記条件情報は、前記対象被写体が前記写真において、笑顔である、あるいは目をつぶっていない、である
情報処理端末。
【請求項６】
被写体の写真を撮像するステップと、
前記写真に対して行う指定処理の内容を示す指定処理情報と、前記被写体のうちから特定するべき対象被写体を前記写真の画像データにおいて特定するための被写体認識情報と、前記対象被写体の前記写真における状態に関する条件である条件情報と、をそれぞれ対応させて記憶するステップと、
前記写真を撮像したときに、当該写真に前記対象被写体が写っているか否かを前記被写体識別情報に基づいて判定して、前記対象被写体が当該写真に写っている場合に、当該写真における当該対象被写体が当該被写体に対応する前記条件情報に適合しているか否かを判定して、当該対象被写体が前記条件情報に適合する場合に、前記指定処理を実行するステップと
を備える情報処理方法。
【請求項７】
請求項６に記載の情報処理方法であって、当該対象被写体が前記条件情報に適合する場合に、前記指定処理を実行するステップは、
前記写真を撮影したときに、当該写真に前記対象被写体が写っているか否かを前記被写体認識情報に基づいて判定するステップと、
前記対象被写体が当該写真に写っていると判定された場合に当該対象被写体が、当該被写体に対応する前記条件情報に適合しているか否かを判定するステップと、
当該対象被写体が当該被写体に対応する前記条件情報に適合していると判定された場合に前記指定処理を行うステップと
を含む情報処理方法。
【請求項８】
請求項７に記載の情報処理方法であって、
前記記憶するステップは、
前記写真に対して行う画像処理の内容を示す加工情報を記憶するステップ、
を含み、
前記条件情報に適合していると判定された場合に前記指定処理を行うステップは、
前記対象被写体が当該写真に写っている場合で、かつ、当該対象被写体が前記条件情報に適合している場合に、前記加工情報に基づいて当該写真の画像処理を行うステップと、
前記加工処理部による画像処理後の写真を用いて、前記指定処理を行うステップと
を含む情報処理方法。
【請求項９】
請求項６から請求項８までのいずれかに記載の情報処理方法であって、
アンテナを備えて無線通信を行うステップ
をさらに備え、
前記指定処理情報は、電子メールの送信先のメールアドレスを含み、
当該対象被写体が前記条件情報に適合する場合に、前記指定処理を実行するステップは、
当該写真を前記電子メールに添付して前記メールアドレスへ送信するステップ
を含む情報処理方法。
【請求項１０】
請求項６から請求項９までのいずれかに記載の情報処理方法であって、
前記条件情報は、前記対象被写体が前記写真において、笑顔である、あるいは目をつぶっていない、である
情報処理方法。
【請求項１１】
請求項５から請求項８までのいずれかに記載の情報処理方法をコンピュータに実行させる情報処理プログラム。
【発明の詳細な説明】
【技術分野】
【０００１】
本発明は、撮像装置を備える情報処理端末に関し、特に撮像した写真に写る被写体に対応した処理を行う情報処理端末に関する。
【背景技術】
【０００２】
撮像装置（カメラ）を備えた情報処理端末が広く普及している。ユーザは、撮像装置で撮影した写真のデジタル画像データを、フォルダへ保存したり、アドレス帳へ登録したり、あるいは、メールに添付して送信したりすることができる。しかし、ユーザは、自ら操作を行って、これらの処理を情報処理端末に実行させる必要がある。そのため、ユーザに画像データを管理するための処理を行う時間と手間をとらせてしまうという課題があった。このような課題に関連する技術が、以下のとおり開示されている。
【０００３】
特許文献１は、通信ネットワークを介して画像を管理するためのシステムを開示している。特許文献１のシステムは、デジタル画像を管理するためのシステムであり、電子アイコンを生成するための装置である。特許文献１のシステムは、関連付けられたアイコンを有する特定のデジタルメディアファイルへの通信ネットワークを介しての第三者によるアクセスを可能にする情報を含めて、ある特定のユーザに固有の情報を含む電子アイコンを生成するための装置を備える。特許文献１のシステムによれば、通信ネットワークを介して画像を管理することができる。
【０００４】
特許文献２は、撮影した画像データを編集中のアドレス帳に容易に関連付けさせることができる通信機能付撮像装置を開示している。特許文献２の通信機能付撮像装置は、通信手段と、この通信手段による通信に用いる連絡先データを格納するアドレス帳格納手段と、アドレス帳格納手段に格納させる連絡先データの作成、または、アドレス帳格納手段に格納されている連絡先データの編集するためモードを指示する指示手段と、この指示手段による指示を検出することにより起動する撮像手段と、この撮像手段によって撮像された画像データを、作成、または、編集対象の連絡先データと関連付けて記憶する画像記憶手段とを備える。特許文献２の通信機能付撮像装置によれば、撮影した画像データを編集中のアドレス帳に容易に関連付けることができる。
【０００５】
特許文献３は、静止画、音楽およびスタイル等の各要素のいずれかを選択すれば、それにマッチした他の要素を決定してショートフィルムを生成し、再生することができ、また静止画中のオブジェクトを視覚効果に反映させることによって、エンターテイメント性を向上させたショートフィルムを生成、再生することができるショートフィルム生成再生装置を開示している。特許文献３のショートフィルム生成再生装置は、少なくとも１つの静止画を用いて、映像を生成し、再生するショートフィルム生成再生装置である。静止画、静止画の特徴を現す画像特徴量、生成する映像の全体的なイメージを表すスタイル、スタイルの特徴を現すスタイル特徴量、音楽、および音楽の特徴を現す音楽特徴量を記憶するデータベース手段と、映像を生成する際に用いる静止画、音楽、スタイルのいずれか１つを選択するための選択手段と、選択手段により選択された静止画、音楽およびスタイルのいずれか１つに対応する特徴量をデータベース手段から読み出す特徴量読出手段と、特徴量読出手段により読み出された特徴量を他の特徴量に変換する特徴量変換手段と、特徴量変換手段により変換された他の特徴量に基づいて、映像を生成する際に用いる静止画、音楽、およびスタイルをそれぞれ決定する決定手段と、選択手段により選択された静止画、音楽およびスタイルに基づいて映像のシナリオを生成するシナリオ生成手段とを備える。特許文献３のショートフィルム生成再生装置によれば、ユーザは、膨大なデータベースで検索に費やす時間を節約して、非常に簡単、かつ気楽にショートフィルムを生成することが可能になる。
【０００６】
特許文献４は、小型で、情報処理機能が限定された携帯情報処理装置においても簡便かつ効果的かつユーザの要求に対して柔軟な情報処理システムを開示している。特許文献４の情報処理システムは、少なくとも、通信手段と、撮像手段と画像情報を所定のフォーマットにて電子ファイルに変換する変換手段とを有する携帯情報端末と、通信手段にて接続可能なネットワーク上に設置してなる画像情報を記憶する画像情報記憶手段とを有する情報処理システムである。携帯情報端末は、画像情報の所定のメタ情報記述部分に所定の処理情報を記述する処理情報記述手段を有し、携帯情報端末によりネットワークを介して接続可能な画像情報記憶手段を監視し、画像情報記憶手段にメタ情報が格納された画像ファイルが送信された際に、メタ情報を元に画像情報に所定の処理を行い、かつ処理結果もしくは処理過程の少なくともいずれかの情報を所定の対象者が確認可能な形態で情報を保持または提示する保持／提示手段と、を備える。特許文献４の情報処理システムによれば、小型で情報処理が限定された携帯情報端末において簡便でかつユーザの要求に対して柔軟な情報を提供することができる。
【０００７】
上記の関連技術では、撮影された写真に写る被写体が、所定の条件に該当するか否かを考慮して、処理動作を行うことはできない。
【特許文献１】特開２００３−１１６０８７号公報
【特許文献２】特開２００４−３３６７１１号公報
【特許文献３】特開２００５−０２５７１５号公報
【特許文献４】特開２００６−１９５９２３号公報
【特許文献５】特開２００７−１５６５４１号公報
【特許文献６】特開２００８−２５７４２５号公報
【発明の開示】
【発明が解決しようとする課題】
【０００８】
本発明の目的は、撮影された写真に写る被写体に応じた処理を行う情報処理端末を提供することである。
本発明の他の目的は、撮影された写真に写る被写体が所定の条件に適合している場合にのみ処理を行う情報処理端末を提供することである。
【課題を解決するための手段】
【０００９】
本発明の情報処理端末は、被写体の写真を撮像する撮像部と、写真に対して行う指定処理の内容を示す指定処理情報と、被写体のうちから特定するべき対象被写体を写真の画像データにおいて特定するための被写体認識情報と、対象被写体の写真における状態に関する条件である条件情報と、をそれぞれ対応させて記憶する記憶部と、写真を撮像したときに、当該写真に対象被写体が写っているか否かを被写体識別情報に基づいて判定して、対象被写体が当該写真に写っている場合に、当該写真における当該対象被写体が当該被写体に対応する条件情報に適合しているか否かを判定して、当該対象被写体が条件情報に適合する場合に、指定処理を実行する制御部とを備える。
【００１０】
本発明の情報処理方法は、被写体の写真を撮像するステップと、写真に対して行う指定処理の内容を示す指定処理情報と、被写体のうちから特定するべき対象被写体を写真の画像データにおいて特定するための被写体認識情報と、対象被写体の写真における状態に関する条件である条件情報と、をそれぞれ対応させて記憶するステップと、写真を撮像したときに、当該写真に対象被写体が写っているか否かを被写体識別情報に基づいて判定して、対象被写体が当該写真に写っている場合に、当該写真における当該対象被写体が当該被写体に対応する条件情報に適合しているか否かを判定して、当該対象被写体が条件情報に適合する場合に、指定処理を実行するステップとを備える。
【００１１】
本発明の情報処理プログラムは、上述の情報処理方法をコンピュータに実行させる。
【発明の効果】
【００１２】
本発明によれば、撮影された写真に写る被写体に応じた処理を行う情報処理端末を提供することができる。
さらに、本発明によれば、撮影された写真に写る被写体が所定の条件に適合している場合にのみ処理を行う情報処理端末を提供することができる。
【発明を実施するための最良の形態】
【００１３】
添付図面を参照して、本発明の実施形態による情報処理端末を以下に説明する。
【００１４】
[構成の説明]
はじめに、本実施形態における情報処理端末１の構成の説明を行う。図１は、本実施形態における情報処理端末１の構成を示すブロック図である。本実施形態における情報処理端末１は、無線通信部２と、放送受信部３と、撮像部４と、音声入出力部５と、入出力部６と、記憶部７と、制御部８とを備える。また、各構成部位は、共通バス９を介して電気的に接続されている。
【００１５】
無線通信部２は、図示されない無線通信ネットワークの備える無線基地局と無線通信を行う。無線通信部２は、無線基地局と電波の送受信を行うアンテナを備える。無線通信部２は、無線基地局の放射する電波をアンテナで入射し、受信信号を復調して取得する受信データを制御部８へ出力する。また、無線通信部２は、制御部８から入力する送信データを変調して、送信信号をアンテナから無線基地局へ放射する。なお、情報処理端末１が無線通信部２を介して通信を行う無線通信ネットワークは、無線ＬＡＮ（Ｌｏｃａｌ  Ａｒｅａ  Ｎｅｔｗｏｒｋ）のアクセスポイントを備える高速無線アクセスネットワークでも良いし、あるいは、高速のハンドオーバーに対応するサーバ等を備えた移動体通信ネットワークでも良い。無線通信部２は、無線通信ネットワークの種類に対応する機能を備える。このような無線通信部２の備える機能は、従来技術によるため、これ以上の詳細な説明を省略する。
【００１６】
放送受信部３は、図示されない放送局からの放送用電波（放送波）を受信する。放送受信部３は、放送波を受信する放送波受信用アンテナを備える。放送受信部３は、放送局の放射する放送波を放送波受信用アンテナで入射し、受信信号を復調して取得する受信データを制御部８へ出力する。このような放送受信部３の備える機能は、従来技術によるため、これ以上の詳細な説明を省略する。
【００１７】
撮像部４は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光学センサを用いた写真撮像用のカメラを備える。撮像部４は、制御部８の制御により写真を撮像する。撮像部８は、撮像した写真のデジタル画像データに所定の補正処理やフォーマット化を行って、画像データ７１１として制御部８へ出力する。このような撮像部４の備える機能は、従来技術によるため、これ以上の詳細な説明を省略する。
【００１８】
音声入出力部５は、スピーカーとマイクを備える。音声入出力部５は、情報処理端末１を使用するユーザとの音声入出力インターフェイスである。音声入出力部５は、マイクから入力した音響を、音響信号へ変換して制御部８へ出力する。また、音声入出力部５は、制御部８から音響信号を入力して、スピーカーから音響として出力する。このような音声入出力部５の備える機能は、従来技術によるため、これ以上の詳細な説明を省略する。
【００１９】
入出力部６は、文字や数字を入力するためのキーや、情報の表示画面であるＬＣＤ（Ｌｉｑｕｉｄ  Ｃｒｙｓｔａｌ  Ｄｉｓｐｌａｙ）等を備える。入出力部６は、情報処理端末１を使用するユーザとの入出力インターフェイスである。入出力部６は、ユーザからのキー入力を検知して、入力内容を制御部８へ出力する。また、入出力部６は、制御部８からの表示用データを入力して、表示内容をＬＣＤへ表示を行う。このような入出力部６の備える機能は、従来技術によるため、これ以上の詳細な説明を省略する。
【００２０】
記憶部７は、情報処理端末１の機能を実現するための処理用プログラムや、各種データを記憶している。記憶部７は、ＲＯＭ（Ｒｅａｄ  Ｏｎｌｙ  Ｍｅｍｏｒｙ）や、ＲＡＭ（Ｒａｎｄｏｍ  Ａｃｃｅｓｓ  Ｍｅｍｏｒｙ）や、フラッシュメモリといった記憶装置によって構成されている。また、記憶部７は、データフォルダ７１と、処理内容データベース（以下、処理内容ＤＢ）７２とを備える。データフォルダ７１は、画像データ７１１と、被写体認識情報７１２と、アドレス帳データ７１３とを備える。処理内容ＤＢ７２は、条件情報７２１と、処理内容情報７２２と、加工情報７２３とを備える。
【００２１】
画像データ７１１は、撮像部４で撮像された写真の画像データ７１１である。画像データ７１１は、制御部８によって、記憶部７のデータフォルダ７１へ保存される。
【００２２】
被写体認識情報７１２は、撮像部４の撮像した写真の画像データ７１１に写る被写体を認識するための情報である。被写体認識情報７１２は、被写体に対応して保存されている。本実施形態において、後述する制御部８の被写体認識部８１１は、被写体認識情報７１２を用いて、画像データ７１１に移る被写体を特定する。被写体認識情報７１２とは、例えば、被写体が人物であれば、当該人物の画像データ７１１から人物の顔を部分（例えば、目、鼻、口、耳）情報として抽出した情報である。制御部８の被写体認識部８１１は、これらの部分（パーツ）を用いて人物の特定を行う。このような、人物の顔の部分を用いた人物認証を行う技術は、例えば、特許文献５や、特許文献６等に開示されている。被写体認識情報７２は、後述する制御部８の被写体認識情報生成部８２１によってあらかじめ生成され、記憶部７１へ登録されている。なお、以下の説明では、被写体が人物である場合を用いて説明を行うが、被写体認識情報７１２は、人物に関する情報だけではなく、特定の建築物や、キャラクタ、マーク等といったようなものでもかまわない。
【００２３】
アドレス帳データ７１３は、情報処理端末１の機能の一つであるアドレス帳にユーザが登録を行ったデータである。アドレス帳データ７１３は、一般に、人物等の単位でレコードを登録しており、各レコードは、氏名（名称）、電話番号、メールアドレス、住所といった内容や、その他に当該人物に関係する情報が登録される。アドレス帳データ７１３は、レコードごとに、任意のアドレス帳ＩＤ９３を付与している。
【００２４】
条件情報７２１は、被写体の状態に関する条件が記録されている。条件情報７２１は、被写体の写る写真に対して所定の処理を行うか否かを判定するための条件となる。ここで、被写体の状態とは、被写体が人物であれば、例えば、当該人物の表情である。例えば、条件情報７２１が、「笑顔」であれば、当該人物が写真に「笑顔」で写っている場合に、処理を行い、「笑顔」以外であれば処理を行わないということである。このように、人物に関する条件情報であれば、「笑顔」のほかに、「目をつぶっていない」や、「全ての写真」といった条件が存在する。条件情報７２１は、これらの条件の内容に限定されない。また、条件情報７２１は、人物以外の条件も含んでもよい。条件情報７２１は、被写体に対応させて条件情報を記録する。
【００２５】
処理内容情報７２２は、写真に対して行う処理内容（以下、指定処理）を、被写体に対応させて記録している。指定処理とは、指定したメールアドレスへメールを送信したり、指定のフォルダへ画像データを振り分けたり、といった内容が考えられる。なお、処理内容情報７２２の指定処理の内容は、これらの処理に限定はしない。
【００２６】
加工情報７２３は、写真の画像データ７１１に対して行う画像処理の内容を記録している。加工情報７２３は、グラデーション、シャープ、フレーム、アイコンといったような画像処理である。なお、加工情報７２３は、これらの画像処理に限られない。
【００２７】
制御部８は、ＣＰＵ（Ｃｅｎｔｒａｌ  Ｐｒｏｃｅｓｓｉｎｇ  Ｕｎｉｔ）等で構成される。制御部８は、記憶部７に保存される処理用プログラムを読み込んで実行することで、情報処理端末１の機能を実現する。制御部８は、音声入出力部５の音響の入出力を制御して、無線通信部２を介した音声通信を行うことができる。また、制御部８は、ユーザから入出力６への入力に応じて無線通信部２を介してメール送受信を行うことができる。さらに、制御部８は、ユーザから入出力部６への入力に応じて、撮像部４による写真の撮像を制御する。制御部８は、撮像部４から入力する写真の画像データ７１１に対して所定の処理を行う。また、制御部８は、画像データ７１１を記憶部７のデータフォルダ７１へ保存する。
【００２８】
制御部８は、指定処理制御部８１と、登録制御部８２とを備える。指定処理制御部８１は、撮像部４の撮像した写真の画像データ７１１に対して、所定の判定処理に基づいて指定処理を行う。登録制御部８２は、被写体の被写体認識情報７１２の登録や、ユーザからの設定入力を処理内容ＤＢ７２へ登録を行う。指定処理制御部８１は、被写体認識部８１１と、被写体条件判定部８１２と、加工処理部８１３と、指定処理実行部８１４とを備える。また、登録制御部８２は、被写体認識情報生成部８２１と、処理内容登録部８２２とを備える。
【００２９】
処理内容登録部８２２は、ユーザからの被写体情報の登録要求に応じて被写体認識情報生成部８２１へ被写体認識情報７１２の生成を命令する。また、処理内容登録部８２２は、ユーザから入出力部６へのキー入力に応じて、処理内容ＤＢ７２へ、条件情報７２１と、処理内容情報７２２と、加工情報７２３とを登録する。処理内容登録部８２２は、条件情報７２１と、処理内容情報７２２と、加工情報７２３とを、被写体の画像データと、被写体認識情報７１２とに対応付けて、処理内容ＤＢ７２へ記録する。
【００３０】
被写体認識情報生成部８２１は、被写体の人物認識を行うための被写体認識情報７１２を生成する。被写体認識情報生成部８２１は、撮像部４の撮像した写真の画像データ７１１から、ユーザにより指定された被写体に対する被写体認識情報７１２を生成する。被写体認識情報生成部８５は、被写体認識情報７１２を、被写体認識情報７１２へ任意に付与する被写体認識情報ＩＤ９２と、被写体の画像データ７１１とに対応付けて、記憶部７のデータフォルダ７１へ保存する。
【００３１】
被写体認識部８１１は、撮像部４の撮像した写真に写る被写体のうちから、データフォルダ７１に被写体認識情報７１２の登録されている被写体を特定する。被写体認識部８１１は、撮像部４から撮像を行った写真の画像データ７１１を入力すると、記憶部７の被写体認識情報７１２に基づいて、当該写真に写る被写体の特定を行う。被写体認識部８１１は、当該写真に複数の被写体が写っている場合には、それぞれの被写体ごとに、被写体の特定を行う。
【００３２】
被写体条件判定部８１２は、被写体認識部８１１の特定した被写体が、処理条件に適合しているかを判定する。被写体条件判定部８１２は、被写体認識部８１１の特定した被写体が、記憶部７の処理内容ＤＢに記録された当該被写体に対応する処理条件７２１に適合するか判定を行う。
【００３３】
加工処理部８１３は、撮像部４の撮像した写真の画像データに対して画像処理を行う。加工処理部８１３は、被写体認識部８１１の特定した被写体が、被写体条件判定部８１２において当該被写体に対応する処理条件７２１に適合していると判定された場合、記憶部７の処理内容ＤＢ７２に記録された当該被写体に対応する加工情報７２３に基づいて、当該写真の画像処理を行う。
【００３４】
指定処理実行部８１４は、加工処理部８１３による画像処理後の写真に対して、予め定められた指定処理を実行する。指定処理実行部８１４は、被写体認識部８１１の特定した被写体が、被写体条件判定部８１２において当該被写体に対応する処理条件７２１に適合していると判定され、加工処理部８１３による画像処理を行われた写真に対して、記憶部７の処理内容ＤＢ７２に記録された当該被写体に対応する処理内容情報７２２に基づいて、指定処理を実行する。
【００３５】
以上が、本実施形態における情報処理端末１の構成の説明である。このように構成することで、本実施形態の情報処理端末１は、撮像部４の撮像した写真の画像データ７１１に、記憶部７の被写体認識情報７１２に対応する被写体が写っており、かつ、当該被写体が処理内容ＤＢ７２の条件情報７２１に記録される条件を満たしているときにのみ、処理内容情報７２２に記録された指定処理を実行する。条件情報７２１は、ユーザにより予め登録されている。そのため、情報処理端末１は、ユーザの要望する状態で被写体が写真に写っているときにのみ指定処理を実行することができる。
【００３６】
[動作方法の説明]
次に、本実施形態における情報処理端末の動作方法の説明を行う。まず、図２を用いて、本実施形態における被写体情報の登録動作方法の説明を行う。図２は、本実施形態における被写体情報の登録動作フローを示している。
【００３７】
（ステップＳ１０）
ユーザは、入出力部６へキー入力を行って、被写体情報の登録要求を入力する。制御部８は、入出力部６を介して被写体情報の登録要求を入力する。制御部８の処理内容登録部８２２は、被写体情報の登録要求を受け付けて、撮像部４を起動する。処理内容登録部８２２は、入出力部６の図示されない表示画面（ＬＣＤ）へ、例えば「登録する被写体を撮像してください。」といった表示を行って、ユーザに被写体の撮像を要求する。ユーザは、入出力部６にキー入力を行って、登録を行う被写体の写真の撮像命令を入力する。制御部８は、入出力部６を介してユーザからの撮像命令を受けて、撮像部４による写真の撮像を制御する。撮像部４は、カメラにより被写体の撮像を行う。撮像部４は、撮像した写真の画像データ７１１を制御部８へ出力する。
【００３８】
（ステップＳ２０）
処理内容登録部８２２は、写真の画像データ７１１を被写体情報登録画面９０と共に、入出力部６の表示画面へ表示する。図３は、本実施形態における、被写体情報登録画面９０を示している。このとき、処理内容登録部８２２は、表示画面へ「登録する被写体の範囲を決定してください。」というような表示を行って、写真の画像データの中から被写体の範囲を特定させてもよい。この場合、ユーザは、表示画面の表示を確認すると、被写体の範囲を指定するための枠を入出力部６から操作するなどして、写真の画像データ７１１から被写体の範囲を決定する。処理内容登録部８２２は、写真の画像データ７１１における被写体の範囲が決定すると、範囲で指定された画像データを抽出して、被写体の画像データ７１１を生成して、被写体情報登録画面９０へ表示する。また、処理内容登録部８２２は、被写体の画像データ７１１へ、任意に被写体ＩＤ９１を付与する。図３を参照すると、処理内容登録部８２２は、当該被写体の画像データ７１１へ、被写体ＩＤ「３２」を付与したことを確認できる。なお、本実施形態において、被写体の画像データ７１１は、撮像部４で撮像を行った写真から抽出して生成している。しかし、被写体の画像データ７１１は、記憶部７のデータフォルダ７１に記録された画像データ７１１のうちから選択と抽出を行って生成してもよい。処理内容登録部８２２は、新たな被写体の画像データ７１１を生成したことを、被写体認識情報生成部８２１へ通知する。被写体認識情報生成部８２１は、通知を受けて被写体の画像データ７１１から、被写体認識情報７１２の生成を行う。被写体認識情報生成部８２１は、被写体認識情報７１２を生成すると、任意の被写体認識情報ＩＤ９２を付与する。処理内容登録部８２２は、被写体認識情報ＩＤ９２を、被写体情報登録画面９０へ表示する。図３を参照すると、被写体認識情報生成部８２１は、被写体ＩＤ「３２」の被写体に対応する被写体認識情報ＩＤ９２「１２３」を付与したことを確認できる。これによって、被写体認識部８１１は、撮像部４の撮像する写真に、被写体ＩＤ「３２」が写っているか否かを、被写体認識情報ＩＤ９２「１２３」に基づいて判定することができる。被写体認識情報生成部８２１は、被写体認識情報７１２と、被写体認識情報ＩＤ９２、被写体ＩＤ９１とを対応付けて記憶部のデータフォルダ７１へ保存する。被写体認識情報生成部８２１は、特許文献５や、特許文献６に開示されるような従来技術を用いて、被写体の画像データ７１１から被写体認識情報７１２を生成する。被写体認識情報生成部８２１は、処理内容登録部８２２へ、被写体認識情報７１２の生成の完了を通知する。処理内容登録部８２２は、通知を受けると被写体情報登録画面９０へ「関連付けるアドレス帳データを入力してください。」というような表示を、入出力部６の表示画面へ表示して、ユーザへアドレス帳ＩＤ９３の入力を促す。ユーザは、入出力部６からアドレス帳ＩＤ９３を入力する。これにより、被写体の画像データ７１１と、アドレス帳データ７１３とが連携される。図３を参照すると、ユーザは、被写体ＩＤ９１「３２」に対応する被写体に、アドレス帳ＩＤ９３「７４８」のアドレス帳データ７１３を関連付けたことを確認できる。本実施形態では、被写体ＩＤ９１とアドレス帳ＩＤ９３とを関連付けている。しかし、これは、単に被写体の氏名（名称）を入力するだけでもよい。
【００３９】
（ステップＳ３０）
ユーザは、被写体情報登録画面９０において、条件情報７２１の入力を行う。条件情報７２１は、被写体情報登録画面９０において、いくつかの選択肢の中から選択する方法としてもよい。図３を参照すると、ユーザは、被写体ＩＤ「３２」の被写体に対応する条件情報７２１を「笑顔」と設定したことを確認できる。このように条件情報７２１を設定することで、撮像部４の撮像した写真に被写体ＩＤ「３２」が写真に写っており、かつ、当該被写体が「笑顔」の場合にのみ処理内容情報７２２の指定処理を実行させることができる。なお、条件情報７２１は、１つだけでなく複数の条件を組み合わせるものでもよい。また、「笑顔」や、「目つぶりを除く」のように被写体自身の状態に基づくものだけでなく、「時間」や「場所」といった情報を組み合わせるものでもよい。その場合、情報処理端末１が、計時する時計や、位置情報を計測するＧＰＳ（Ｇｌｏｂａｌ  Ｐｏｓｉｔｉｏｎｉｎｇ  Ｓｙｓｔｅｍ）を備え、これらから必要となる情報を取得すればよい。
【００４０】
（ステップＳ４０）
ユーザは、被写体情報登録画面９０において、処理内容情報７２２の登録を行う。処理内容情報７２２は、被写体情報登録画面において、いくつかの選択肢の中から選択する方法としてもよい。図３を参照すると、ユーザは、被写体ＩＤ「３２」の被写体に対応する処理内容情報７２２を「メール送信」を設定していることが確認できる。さらに、図３を参照すると、ユーザは、メール送信先として「○○○＠ａｂｃ．ｃｏ．ｊｐ」を指定していることが確認できる。このように処理内容情報７２２を設定することで、撮像部４の撮像した写真に被写体ＩＤ「３２」が写真に写っており、かつ、当該被写体が「笑顔」の場合に、当該写真をメールに添付して、指定されたアドレスへ送信することができる。なお、処理内容情報７２２は、複数の動作を指定できてもよい。例えば、処理内容情報７２２として、写真をメールに添付してメール送信を行う「メール送信」と、写真を特定のネットワークフォルダへアップロードする「アップロード」などを指定することも可能である。また、メールアドレスは、一つではなく、複数のアドレスを送信先として指定してもよい。さらに、メールアドレスの指定方法を、アドレス帳データ７１３のアドレス帳ＩＤ９３を指定して、指定されたアドレス帳ＩＤ９３に登録されたメールアドレスへ、当該写真を添付したメールを送信する動作としてもよい。
【００４１】
（ステップＳ５０）
ユーザは、被写体情報登録画面９０において、加工情報７２３の登録を行う。加工情報７２３は、被写体情報登録画面において、いくつかの選択肢の中から選択する方法としてもよい。図３を参照すると、ユーザは、被写体ＩＤ「３２」の被写体に対応する加工情報７２３を「フレームＡ」と設定していることが確認できる。このように加工情報７２３を設定することで、撮像部４の撮像した写真に被写体ＩＤ「３２」が写真に写っており、かつ、当該被写体が「笑顔」の場合に、当該写真を「フレームＡ」を用いた画像へ画像処理を行うことができるようになる。ユーザが加工情報７２３の登録を完了すると、処理内容登録部８２２は、被写体情報を記憶部７の処理内容ＤＢ７２へ保存して、被写体情報登録画面９０を終了する。
【００４２】
図４は、本実施形態における記憶部７の処理内容ＤＢ７２におけるデータテーブルを示している。処理内容ＤＢ７２は、被写体情報等億画面９０で登録を行う項目と同じ項目を備える。すなわち、処理内容ＤＢ７２は、被写体ＩＤ９１と、被写体認識情報ＩＤ９２と、アドレス帳ＩＤ９３と、条件情報７２１と、処理内容情報７２２と、加工情報７２３とを項目として備える。被写体ＩＤ９１は、記憶部７のデータフォルダ７１に保存されている画像データ７１１における被写体の画像データへのリンク先情報となる。被写体認識情報ＩＤ９２は、記憶部７のデータフォルダ７１に保存されている被写体認識情報７１２へのリンク先情報となる。アドレス帳ＩＤ９３は、記憶部７のデータフォルダ７１に保存されているアドレス帳データ７１３へのリンク先情報となる。条件情報７２１と、処理内容情報７２２と、加工情報７２３とは、前述したとおりである。
【００４３】
以上が、本実施形態における被写体情報の登録動作方法の説明である。
【００４４】
次に、本実施形態における撮像した写真に対する指定処理の実行動作方法の説明を行う。図５は、本実施形態における撮像した写真に対する指定処理の実行動作フローである。
【００４５】
（ステップＳ１００）
ユーザは、入出力部６からキー入力を行って、カメラの起動要求を入力する。制御部８は、入出力部６からカメラの起動要求を入力して、撮像部４を起動する。制御部８は、ユーザから入出力部６へ撮像要求（シャッターボタンを押下する。）の入力が行われるまで待機する。ユーザが撮像要求を入出力部６へ入力すると、制御部８は、撮像部４を制御して写真を撮像する。
【００４６】
（ステップＳ１１０）
撮像部４は、撮像した写真の画像データ７１１を制御部８へ出力する。制御部８は、写真の画像データ７１１を入力する。被写体認識部８１１は、写真の画像データ７１１に対して被写体認識処理を行う。被写体認識部８１１は、撮像部４から入力した写真の画像データ７１１から被写体認識処理の対象となる被写体を抽出する。被写体認識部８１１は、記憶部７のデータフォルダ７１に保存された被写体認識情報７１２に基づいて、写真の画像データ７１１から抽出した被写体認識処理の対象となる被写体が、指定処理の対象として記憶部７へ登録されているかを判定する。被写体識別部８１は、写真の画像データに複数の被写体が写っている場合は、それぞれの被写体に対して被写体認識処理を行う。
本実施形態において、図４に示すように被写体情報は、被写体ＩＤ９１「３２」、「３３」、「３４」の３件が登録されている。被写体認識部８１１は、被写体ＩＤの各々に対応する被写体認識情報ＩＤ９２「１２３」、「１２４」、「１２５」、それぞれの被写体認識情報７１２に基づいて、撮像部４の撮像した写真の画像データ７１１に対する被写体認識処理を行う。
【００４７】
（ステップＳ１２０）
被写体認識部８１１は、被写体認識処理において被写体認識情報７１２に適合する被写体が当該写真に存在しない場合、ステップＳ１７０へ進む。一方、被写体認識部８１１は、被写体認識処理において被写体認識情報７１２に適合する被写体が当該写真に存在する場合、当該被写体に対応する被写体認識情報ＩＤ９２を特定する。さらに、被写体認識部８１１は、当該被写体に対応する被写体認識情報ＩＤ９２に対応する被写体ＩＤ９１を、記憶部７の処理内容ＤＢ７２から抽出する。その後、ステップＳ１３０へ進む。
本実施形態において、被写体認識部８１１は、被写体認識処理で、撮像部４の撮像した写真の画像データに、図３に示す被写体認識情報ＩＤ９２「１２３」に適合する被写体が存在すると特定する。被写体認識部８１１は、図４に示す記憶部７の処理内容ＤＢ７２から被写体認識情報ＩＤ９２「１２３」に対応する被写体ＩＤ９１「３２」を特定する。
【００４８】
（ステップＳ１３０）
被写体認識処理において被写体認識情報７１２に適合する被写体が当該写真に存在する場合、被写体認識部８１１は、被写体条件判定部８１２へ、当該被写体の被写体ＩＤ９１を通知する。被写体条件判定部８１２は、通知を入力すると記憶部７の処理内容ＤＢ７２に記録された当該被写体の被写体ＩＤ９１に対応する条件情報７２１を抽出する。被写体条件判定部８１２は、写真の画像データ７１１における被写体ＩＤ９１の被写体が、当該被写体の被写体ＩＤ９１に対応する条件情報７２１に適合するか否かを判定する。写真の画像データ７１１における被写体ＩＤ９１の被写体が、当該被写体の被写体ＩＤ９１に対応する条件情報７２１に適合しない場合、ステップＳ１７０へ進む。一方、写真の画像データにおける被写体ＩＤ９１の被写体が、当該被写体の被写体ＩＤ９１に対応する条件情報７２１に適合する場合、ステップＳ１４０へ進む。
本実施形態において、被写体認識部８１１は、被写体ＩＤ９１「３２」を被写体条件判定部８１２へ通知する。被写体条件判定部８１２は、被写体ＩＤ９１「３２」の通知を入力すると、図４に示す記憶部７の処理内容ＤＢ７２から、被写体ＩＤ９１「３２」に対応する条件情報７２１「笑顔」を抽出する。被写体条件判定部８１２は、写真の画像データ７１１における被写体ＩＤ９１「３２」に対応する被写体が、条件情報７２１「笑顔」に適合するか否かを判定する。本実施形態において、被写体条件判定部８１２は、写真の画像データ７１１における被写体ＩＤ９１「３２」に対応する被写体が、条件情報７２１「笑顔」適合していると判定したとする。そのため、ステップＳ１４０へ進む。
【００４９】
（ステップＳ１４０）
写真の画像データ７１１における被写体ＩＤ９１の被写体が、当該被写体の被写体ＩＤ９１に対応する条件情報７２１に適合する場合、被写体条件判定部８１２は、加工処理部８１３へ、当該被写体の被写体ＩＤ９１を通知する。加工処理部８１３は、当該被写体の被写体ＩＤ９１を通知されると、記憶部７の処理内容ＤＢ７２から当該被写体の被写体ＩＤ９１に対応する加工情報７２３を抽出する。処理内容ＤＢ７２に当該被写体の被写体ＩＤ９１に対応する加工情報７２３が登録されていない場合、ステップＳ１６０へ進む。一方、処理内容ＤＢ７２に当該被写体の被写体ＩＤ９１に対応する加工情報７２３が登録されている場合、ステップＳ１５０へ進む。
本実施形態において、被写体条件判定部８１２は、加工処理部８１３へ、被写体ＩＤ９１「３２」を通知する。加工処理部８１３は、被写体ＩＤ９１「３２」を通知されると、図４に示す記憶部７の処理内容ＤＢ７２から被写体ＩＤ９１「３２」に対応する加工情報７２３「フレームＡ」を抽出する。本実施形態において、処理内容ＤＢ７２には、被写体ＩＤ９１「３２」に対応する加工情報７２３「フレームＡ」が登録されているため、ステップＳ１５０へ進む。
【００５０】
（ステップＳ１５０）
処理内容ＤＢ７２に当該被写体の被写体ＩＤ９１に対応する加工情報７２３が登録されている場合、加工処理部８１３は、当該被写体の被写体ＩＤ９１に対応する加工情報７２３に基づいて、写真の画像データ７１１対して画像を加工する画像処理を実行する。
本実施形態において、処理内容ＤＢ７２は、被写体ＩＤ９１「３２」に対応する加工情報７２３「フレームＡ」が登録されている。そのため、加工処理部８１３は、撮像部４の撮像した写真の画像データに対して、「フレームＡ」とする画像処理を実行する。
【００５１】
（ステップＳ１６０）
加工処理部８１３は、写真の画像データ７１１への画像処理が完了すると、指定処理実行部８１４へ、当該被写体の被写体ＩＤ９１を通知する。指定処理実行部８１４は、当該被写体の被写体ＩＤ９１を通知されると、記憶部７の処理内容ＤＢ７２から当該被写体の被写体ＩＤ９１に対応する処理内容情報７２２を取得する。指定処理実行部８１４は、当該被写体の被写体ＩＤ９１に対応する処理内容情報７２２に基づいて、写真の画像データ７１１に対して指定処理を行う。指定処理実行部８１４は、加工処理部８１３において、写真の画像データ７１１に対する画像処理が行われた場合、画像処理後の写真の画像データ７１１に対して指定処理を実行する。一方、指定処理実行部８１４は、加工処理部８１３において、写真の画像データ７１１に対する画像処理が行われなかった場合、撮像部４が撮像を行ったままの写真の画像データ７１１に対して指定処理を実行する。このようにして、撮像部４の撮像した写真に対する指定処理の実行が完了する。
本実施形態において、加工処理部８１３は、指定処理実行部８１４へ、被写体ＩＤ９１「３２」を通知する。指定処理実行部８１４は、被写体ＩＤ９１「３２」を通知されると、図４に示す記憶部７の処理内容ＤＢ７２から被写体ＩＤ９１「３２」に対応する処理内容情報７２２「ｍａｉｌ  ｔｏ  ○○○＠ａｂｃ．ｃｏ．ｊｐ」を取得する。処理内容情報７２２「ｍａｉｌ  ｔｏ  ○○○＠ａｂｃ．ｃｏ．ｊｐ」は、写真の画像データ７１１をメールへ添付して、メールアドレス「○○○＠ａｂｃ．ｃｏ．ｊｐ」へ送信する処理を示している。指定処理実行部８１４は、加工処理部８１３において、「フレームＡ」とする画像処理が行われた画像処理後の写真の画像データ７１１を、送信メールに添付して、メールアドレス「○○○＠ａｂｃ．ｃｏ．ｊｐ」宛てに無線通信部２を介して送信する。このようにして、撮像部４の撮像した写真に対する指定処理の実行が完了する。
【００５２】
（ステップＳ１７０）
被写体認識処理において被写体認識情報７１２に適合する被写体が当該写真に存在しない場合、あるいは、写真の画像データ７１１における被写体ＩＤ９１の被写体が、当該被写体の被写体ＩＤ９１に対応する条件情報７２１に適合しない場合、制御部８は、当該写真に対する指定処理を行わず、通常の処理を行う。この場合、本動作方法は終了となる。
本実施形態において、写真には被写体ＩＤ「３２」の被写体が存在したため、当該ステップは実行されない。また、例えば、写真には被写体ＩＤ「３２」の被写体が存在したと判定されたとしても、写真に写っている被写体ＩＤ９１「３２」が条件情報７２１「笑顔」に適合しない場合、指定処理は、実行されず、本ステップにより本動作方法は終了となる。
【００５３】
以上が、本実施形態における撮像した写真に対する指定処理の実行動作方法の説明である。なお、撮像部４が撮像した写真に、記憶部７の被写体認識情報７１２に適合する被写体が存在する場合、あるいは、さらに当該被写体が、処理内容ＤＢ７２の条件情報７２１に適合する場合、情報処理端末１は、ユーザへ指定処理を実行するか否かを確認する表示を入出力部６の表示画面に表示して、ユーザへ確認を行ってもよい。
【００５４】
以上が、本実施形態の説明である。ここまで説明してきたように、本実施形態の情報処理端末１は、撮像部４の撮像した写真に記憶部７の被写体認識情報７１２に適合する被写体が存在し、かつ、当該被写体が処理内容ＤＢ７２の条件情報７２１に適合する場合にのみ、被写体に対応して記録された指定処理を実行する。そのため、仮に写真に当該被写体が写っていたとして、当該被写体が、予め設定した条件に適合した状態で写っていなければ指定処理は実行されない。このように、本実施形態の情報処理端末によれば、ユーザが必要と考える条件を条件情報へ登録しておくことで、必要な条件を満たしている写真に対してのみ指定処理を実行することができる。
【００５５】
上記では実施形態を参照して本発明を説明したが、本発明は上記実施形態に現手されるものではない。本発明の構成や詳細には、本発明の範囲内で当業者が理解し得るさまざまな変更を行うことができる。例えば、本実施形態の情報処理端末１は、携帯電話端末にも適応が可能であるし、また、撮像機能と通信機能を備えたＰＤＡ（Ｐｅｒｓｏｎａｌ  Ｄｉｇｉｔａｌ  Ａｓｓｉｓｔａｎｔ）や、あるいは、通信機能を備えたデジタルカメラにも適用が可能である。
【図面の簡単な説明】
【００５６】
【図１】本実施形態における情報処理端末１の構成を示すブロック図である。
【図２】本実施形態における被写体情報の登録動作フローである。
【図３】本実施形態における被写体情報登録画面９０を示す図である。
【図４】本実施形態における記憶部７の処理内容ＤＢ７２におけるデータテーブルを示す図である。
【図５】本実施形態における撮像した写真に対する指定処理の実行動作フローである。
【符号の説明】
【００５７】
１  情報処理端末
２  無線通信部
３  放送通信部
４  撮像部
５  音声入出力部
６  入出力部
７  記憶部
８  制御部
９  共通バス
７１  データフォルダ
７２  処理内容ＤＢ
８１  指定処理制御部
８２  登録制御部
９０  被写体情報登録画面
９１  被写体ＩＤ
９２  被写体認識情報ＩＤ
９３  アドレス帳ＩＤ
７１１  画像データ
７１２  被写体認識情報
７１３  アドレス帳データ
７２１  条件情報
７２２  処理内容情報
７２３  加工情報
８１１  被写体認識部
８１２  被写体条件判定部
８１３  加工処理部
８１４  指定処理実行部
８２１  被写体認識情報生成部
８２２  処理内容登録部
【図１】
2010147716.tif 000003
【図２】
2010147716.tif 000004
【図３】
2010147716.tif 000005
【図４】
2010147716.tif 000006
【図５】
2010147716.tif 000007